【手続補正書】
【提出日】平成27年8月28日(2015.8.28)
【手続補正１】
【補正対象書類名】特許請求の範囲
【補正対象項目名】全文
【補正方法】変更
【補正の内容】
【特許請求の範囲】
【請求項１】
針チップの格納除去デバイスであって、
円筒状のスカートを備えた所定の駆動構造体の未使用の針チップ（１０）をデバイス使用時に受容する格納室（１６）と、
前記所定の駆動構造体の使用済みの針チップをデバイス使用時に受容する、前記格納室（１６）に隣接した除去室（１８）と、を備え、
前記除去室（１８）は、デバイスと関連付けられた移動式の閉鎖部材（３８，５４，６４）を備え、前記閉鎖部材（３８，５４，６４）は、前記除去室（１８）へのアクセスが可能になる開放位置と、前記閉鎖部材が前記除去室（１８）を閉鎖して前記除去室及び前記除去室に収容された針チップへのアクセスを阻止する閉鎖位置と、の間を移動可能である、針チップの格納除去デバイス。
【請求項２】
前記格納室及び前記除去室の各々が、単一のペン型の針チップのみを受容するように構成される、請求項１に記載の針チップの格納除去デバイス。
【請求項３】
前記格納室及び前記除去室の各々が、針チップを滑動可能かつ回転不能に受容するように構成されたソケットを有する、請求項１または２に記載の針チップの格納除去デバイス。
【請求項４】
前記閉鎖部材（５４，６４）が、前記開放位置と前記閉鎖位置との間を滑動可能である、請求項１〜３のいずれか１つに記載の針チップの格納除去デバイス。
【請求項５】
前記閉鎖部材が、前記デバイスの外側ハウジングの内側に滑動可能に取り付けられた可撓性部材（５４）を備え、
前記可撓性部材（５４）が、前記閉鎖部材を開放位置と閉鎖位置との間で移動させるように手動で動作する、外部からアクセス可能なパッド（５８）を有する、請求項４に記載の針チップの格納除去デバイス。
【請求項６】
前記閉鎖部材が、デバイスの外面に取り付けられていて開放位置と閉鎖位置との間を移動可能であるシャッタ（６４）を備える、請求項４に記載の針チップの格納除去デバイス。
【請求項７】
前記シャッタ（６４）が、外側ハウジングにおける対応する軌道（６６）を滑動するように構成された、複数の離間したクロー部材（６５）を有する、請求項６に記載の針チップの格納除去デバイス。
【請求項８】
前記閉鎖部材が、デバイスにヒンジで留められていて前記開放位置と前記閉鎖位置との間を前記ヒンジによって移動可能であるキャップ（３８）を備え、
前記キャップ（３８）及び前記ヒンジ（４０）が、任意選択的に、前記除去室（１８）と一体的に形成され、
前記キャップは、前記キャップが閉じられるときに、前記除去室に隣接した対応する形状部（３０）と協働してスナップ係合部を形成する形状部（４２）を、任意選択的に有する、請求項１〜３のいずれか１つに記載の針チップの格納除去デバイス。
【請求項９】
前記除去室（１８）が、除去ソケット（２８）と、デバイス使用時に、使用済みの針チップ（１０）が前記除去ソケット（２８）内に押し込まれるときに前記スカートと協働して使用済みの針チップ（１０）を保持する、前記除去ソケット（２８）の外側の周縁に隣接したスナップ係合手段（３０）と、を有する、請求項１〜８のいずれか１つに記載の針チップの格納除去デバイス。
【請求項１０】
前記スナップ係合手段（３０）が、前記除去ソケット（２８）の周縁の周りで半径方向の内向きに方向付けされた、複数の離間したアーチ状のリブ部分を備える、請求項９に記載の針チップの格納除去デバイス。
【請求項１１】
前記除去室（１８）が成型プラスチックから形成され、前記スナップ係合手段（３２）が別のプラスチック材料から形成される、請求項９または１０に記載の針チップの格納除去デバイス。
【請求項１２】
デバイス使用時に、使用済みの針チップ（１０）が、前記除去ソケット（２８）を越えて突き出ることなく、前記スナップ係合手段（３２）によって前記除去ソケットに完全に保持されうるように、前記除去ソケット（２８）が構成される、請求項９〜１１のいずれか１つに記載の針チップの格納除去デバイス。
【請求項１３】
前記格納室は、前記除去室（１８）から離れるように延在していて、デバイス使用時に使用済みの針チップ（１０）が前記除去室（１８）に挿入される挿入方向を横切る方向に見たときに凸面状又は凹面状の輪郭を形成している、壁部領域（３６）を有する、請求項１〜１２のいずれか１つに記載の針チップの格納除去デバイス。
【請求項１４】
前記除去室（１８）の周縁の少なくとも一部の周りに延在し、テクスチャ表面を有する周縁フランジ（３４）を備える、請求項１〜１３のいずれか１つに記載の針チップの格納除去デバイス。
【請求項１５】
前記テクスチャ表面が粗面状又は鋸刃状である、請求項１４に記載の針チップの格納除去デバイス。
【請求項１６】
前記格納室（１６）及び除去室（１８）の各々が、針チップの前記スカートを受容する円筒状のソケット（２６，２８）を形成するとともに、円筒状のソケット（２６，２８）から離れるように延在して針チップ（１０）の針（１４）を受容する、より狭くて細長い通路（２４）を形成する壁部を備え、
前記格納室（１６）と前記除去室（１８）が反対向きにされる、請求項１〜１５のいずれか１つに記載の針チップの格納除去デバイス。
【請求項１７】
前記格納室（１６）及び前記除去室（１８）の一方における前記通路（２４）の前端が、前記格納室（１６）及び前記除去室（１８）の他方の円筒状のソケット（２８，２６）と並べて配置され、前記通路（２４）どうしがずらして配置される、請求項１６に記載の針チップの格納除去デバイス。
【請求項１８】
前記通路（２４）どうしが、平行に、かつ互いに並べて配置され、一方の室の前記通路（２４）が、他方の室の前記ソケットに向かって突出する、請求項１６に記載の針チップの格納除去デバイス。
【請求項１９】
針チップの格納除去デバイスであって、
円筒状のスカートを備えた所定の駆動構造体の未使用の針チップ（１０）をデバイス使用時に受容する格納室（１６）と、
前記所定の駆動構造体の使用済みの針チップをデバイス使用中に受容する、前記格納室（１６）に隣接した除去室（１８）と、を備え、
前記格納室（１６）及び前記除去室（１８）の各々が、針チップ（１０）の前記スカートを受容する円筒状のソケット（２６，２８）を形成するとともに、円筒状のソケット（２６，２８）から離れるように延在して針チップの針を受容する、より狭くて細長い通路（２４）を形成する壁部を備え、前記格納室（１６）と前記除去室（１８）が反対向きにされ、
前記通路（２４）どうしが、互いに並べて配置され、一方の室の前記通路（２４）が、他方の室の前記ソケットに向かって突出する、針チップの格納除去デバイス。
【請求項２０】
前記通路どうしが反対向きに整列される、請求項１９に記載の針チップの格納除去デバイス。
【請求項２１】
針チップの格納除去デバイスであって、
円筒状のスカートを備えた所定の駆動構造体の未使用の針チップ（１０）をデバイス使用時に受容する格納室（１６）と、
前記所定の駆動構造体の使用済みの針チップをデバイス使用時に受容する、前記格納室に隣接した除去室（１８）と、を備え、
前記除去室（１８）が、除去ソケット（２８）と、デバイス使用時に、使用済みの針チップ（１０）が前記除去ソケット（２８）内に押し込まれるときに前記スカートと協働して使用済みの針チップ（１０）を保持する、前記除去ソケット（２８）の外側の周縁に隣接したスナップ係合手段（３０）と、を有する、針チップの格納除去デバイス。
【請求項２２】
前記スナップ係合手段（３０）が、前記除去ソケット（２８）の周縁の周りで半径方向の内向きに方向付けされた、複数の離間したアーチ状のリブ部分を備える、請求項２１に記載の針チップの格納除去デバイス。
【請求項２３】
前記除去室（１８）が成型プラスチックから形成され、前記スナップ係合手段（３２）が別のプラスチック材料から形成される、請求項２１または２２に記載の針チップの格納除去デバイス。
【請求項２４】
デバイス使用時に、使用済みの針チップ（１０）が、前記除去ソケット（２８）を越えて突き出ることなく、前記スナップ係合手段（３２）によって前記除去ソケットに完全に保持されうるように、前記除去ソケット（２８）が構成される、請求項２１〜２３のいずれか１つに記載の針チップの格納除去デバイス。
【請求項２５】
前記格納室が、前記除去ソケット（２８）から離れるように延在していて、デバイス使用時に使用済みの針チップ（１０）が前記除去室（１８）に挿入される挿入方向を横切る方向に見たときに凸面状又は凹面状の輪郭を形成している、壁部領域（３６）を有する、請求項２１〜２４のいずれか１つに記載の針チップの格納除去デバイス。
【請求項２６】
前記除去ソケット（２８）の周縁の少なくとも一部の周りに延在し、テクスチャ表面を有する周縁フランジ（３４）を備える、請求項２１〜２５のいずれか１つに記載の針チップの格納除去デバイス。
【請求項２７】
前記テクスチャ表面が粗面状又は鋸刃状である、請求項２６に記載の針チップの格納除去デバイス。
【請求項２８】
デバイスと関連付けられた移動式の閉鎖部材（３８，５４，６４）を備え、前記閉鎖部材（３８，５４，６４）が、前記除去ソケット（２８）へのアクセスが可能になる開放位置と、前記閉鎖部材が前記除去ソケットを閉鎖して前記除去ソケット（２８）及び前記除去ソケットに収容された針チップ（１０）へのアクセスを阻止する閉鎖位置と、の間を移動可能である、請求項２１〜２７のいずれか１つに記載の針チップの格納除去デバイス。
【請求項２９】
前記閉鎖部材が、デバイスにヒンジで留められていて前記開放位置と前記閉鎖位置との間を前記ヒンジによって移動可能であるキャップ（３８）を備える、請求項２８に記載の針チップの格納除去デバイス。
【請求項３０】
前記キャップ（３８）及び前記ヒンジ（４０）が、前記除去室（１８）と一体的に形成される、請求項２９に記載の針チップの格納除去デバイス。
【請求項３１】
前記キャップ（３８）は、前記キャップが閉じられるときに、前記除去ソケットに隣接した対応する形状部（３０）と協働してスナップ係合部を形成する形状部（４２）を有する、請求項２９または３０に記載の針チップの格納除去デバイス。
【請求項３２】
前記閉鎖部材（５４，６４）が、前記開放位置と前記閉鎖位置との間を滑動可能である、請求項２８に記載の針チップの格納除去デバイス。
【請求項３３】
前記閉鎖部材が、前記デバイスの外側ハウジングの内側に滑動可能に取り付けられた可撓性部材（５４）を有し、前記可撓性部材（５４）が、前記閉鎖部材を開放位置と閉鎖位置との間で移動させるように手動で動作する、外部からアクセス可能なパッド（５８）を有する、請求項３２に記載の針チップの格納除去デバイス。
【請求項３４】
前記閉鎖部材が、デバイスの外面に取り付けられていて開放位置と閉鎖位置との間を移動可能であるシャッタ（６４）を備える、請求項３２に記載の針チップの格納除去デバイス。
【請求項３５】
前記シャッタ（６４）が、外側ハウジングにおける対応する軌道（６６）を滑動するように構成された、複数の離間したクロー部材（６５）を有する、請求項３４に記載の針チップの格納除去デバイス。
【請求項３６】
前記格納室（１６）及び前記除去室（１８）の各々が、針チップの前記スカートを受容する円筒状のソケット（２６，２８）を形成するとともに、円筒状のソケット（２６、２８）から離れるように延在して針チップ（１０）の針（１４）を受容する、より狭くて細長い通路（２４）を形成する壁部を備え、
前記格納室（１６）と前記除去室（１８）が反対向きにされる、請求項１〜３５のいずれか１つに記載の針チップの格納除去デバイス。